(57)【要約】      （修正有）【課題】比較的に簡単で、同時に水管を固定されることに便利で、水管を解体するときに、屋根から解体する必要がない水管の取り付け構造を提供する。【解決手段】対称に設置される二つのＵ字型コネクタ１を含み、Ｕ字型コネクタ１の両端に連接用の接続穴が設けられ、二つのＵ字型コネクタ１を支えるようにして水管支えボード２が設けられ、水管支えボード２の表面には、接続穴に対応する第一接続穴が設けられ、接続穴と第一接続穴にボルトが挿入され、水管支えボード２の表面には、ねじ穴が設けられ、ねじ穴は二つの第一接続穴の間に設けられ、水管支えボード２には水管ポジショナーが設けられ、水管ポジショナーとねじ穴の間には、ねじが挿入され、水管ポジショナーは水管を挿入するための丸い穴がある。【選択図】図１
0003201430.tif 000002
【実用新案登録請求の範囲】
【請求項１】
水管の取り付け構造において、対称に設置される二つのU字型コネクタを含み、上述のU字型コネクタの両端に連接用の接続穴が設けられ、上述の二つのU字型コネクタを支ええるようにして水管支えボードが設けられ、上述の水管支えボードの表面には、上述の接続穴に対応する第一接続穴が設けられ、上述の接続穴と上述の第一接続穴にボルトが挿入され、上述の水管支えボードの表面には、ねじ穴が設けられ、ねじ穴は上述の二つの第一接続穴の間に設けられ、上述の水管支えボードには水管ポジショナーが設けられ、上述の水管ポジショナーと上述のねじ穴の間には、ねじが挿入され、上述の水管ポジショナーは水管を挿入するための丸い穴があることを特徴とする水管の取り付け構造。
【請求項２】
請求項１に記載の水管の取り付け構造において、U字型コネクタは屋根に連接され、上述のU字型コネクタと上述の水管支えボードは、ともにステンレス鋼で製作されることを特徴とする水管の取り付け構造。
【請求項３】
請求項１に記載の水管の取り付け構造において、上述の水管支えボードの厚さは２ｍｍ〜３ｍｍであることを特徴とする水管の取り付け構造。
【請求項４】
請求項１に記載の水管の取り付け構造において、上述の水管ポジショナーには水管をしっかりロッキングするロッキングねじが設けられることを特徴とする水管の取り付け構造。
【請求項５】
請求項１に記載の水管の取り付け構造において、上述のねじ穴は四つ以上で均等に配置されることを特徴とする水管の取り付け構造。
【考案の詳細な説明】
【技術分野】
【０００１】
本実用新案は水管の取り付け構造に関連する。
【背景技術】
【０００２】
室内用の水管は多く屋根に装置される。取り付けを装置することを通じて、水管と屋根の間に連接される。その後、内装を通じて水管をカバーして、水管を露出することを避ける。現有技術中の水管取り付け装置はある簡単な金属の支えである。装置するとき、まず水管を取り付け装置に置いてから、取り付け装置と屋根を固定する。この装置方式はやや手数をかけて、施工効率を低下させる。それに、後期に水管を変換するときに、装置全体を解体して、屋根にも新しい穴を開かなければならない。
【考案の概要】
【考案が解決しようとする課題】
【０００３】
本実用新案は解決する問題が一種室内水管の取り付ける屋根の取り付けである。この装置と屋根の間の取り付けは比較的に簡単で、その同時に水管の装置を固定されることに便利である。後期水管を解体するときに、水管支えボードを解体しても結構で、本装置を屋根から解体する必要がない。屋根の構築の破壊を避けることができる。
【課題を解決するための手段】
【０００４】
上述の問題を解決するため、本実用新案は以下の技術方案を採用する。一種室内水管の取り付ける屋根の取り付け装置である。二つの対称を設置されるU字型コネクタを含まれる。上述のU字型コネクタのトップとボトムともに連接用の接続穴を設置される。上述の二つの接続件のボトムの間に支えボードを配合される。上述の支えボードの表面に上述の接続穴を配合される第一接続穴を設置される。上述接続穴と上述の第一接続穴の間にボルトを配合される。上述の水管支えボードの表面にねじ山穴を設置される。ねじ山穴は上述の二つの第一接続穴の間に設置される。上述の水管支えボードのトップに水管ポジッショナーを装置される。上述のポジッショナーと上述のねじ山穴の間にねじを配合される。上述の水管ポジッショナーは水管を通過できる丸い穴がある。
【０００５】
最もよい技術方案として、U字型コネクタのトップは屋根を連接される。上述のU字型コネクタと上述の水管支えボードともにステンレス鋼で製作される。
【０００６】
最もよい技術方案として、上述の水管支えボードの厚さは2mm-3mmである。
最もよい技術方案として、上述の水管ポジッショナーのトップに水管をしっかりロッキングするロッキングねじを設置される。
【０００７】
最もよい技術方案として、上述のねじ山穴は四つ以上で均等に配布される。
【考案の効果】
【０００８】
本実用新案の有益な効果はこの装置と屋根の間の装置は比較的に簡単で、その同時に水管の装置を固定されることに便利である。後期水管を解体するときに、水管支えボードを解体しても結構で、本装置を屋根から解体する必要がない。屋根の構築の破壊を避けることができる。それに、本装置は水管を固定されたら、水管はしっかりと水管ポジッショナーに位置づけされて、移動を避ける。本装置は構築も簡単、コストも安いで、普及させて使用することに適応する。
【図面の簡単な説明】
【０００９】
【図１】本実用新案の構築説明図である。
【図２】水管支えボードの俯瞰図である。
【考案を実施するための形態】
【００１０】
次に付図を結びあわせて、本実用新案の最も良い実施例を詳しく説明する。本実用新案のメリットと特徴は本分野の技術者により優しく理解して、それによって本実用新案の保護範囲にもっと明確に範囲を決める。
【００１１】
図一と図二に参照した一種室内水管の取り付ける屋根の取り付け装置である。二つの対称を設置されるU字型コネクタ１を含まれる。上述のU字型コネクタ１のトップとボトムともに連接用の接続穴（図示しない）を設置される。上述の二つの接続件１のボトムの間に支えボード２を配合される。上述の支えボード２の表面に上述の接続穴を配合される第一接続穴２０１を設置される。上述接続穴と上述の第一接続穴２０１の間にボルト３を配合される。上述の水管支持ボー２ドの表面にねじ山穴２０２を設置される。ねじ山穴２０２は上述の二つの第一接続穴２０１の間に設置される。上述の水管支えボード２のトップに水管ポジッショナー４を装置される。上述のポジッショナー４と上述のねじ山穴２０２の間にねじ４０１を配合される。上述の水管ポジッショナー４は水管を通過できる丸い穴４０２がある。
【００１２】
本実用新案のもっといい実施例は上述のU字型コネクタ１のトップは屋根を連接される。上述のU字型コネク１タと上述の水管支持ボー２ともにステンレス鋼で製作される。
【００１３】
本実用新案のもっといい実施例は上述の水管支えボード２の厚さは2mm-3mmである。
【００１４】
本実用新案のもっといい実施例は上述の水管ポジッショナー４のトップに水管をしっかりロッキングするロッキングねじ４０３を設置される。
【００１５】
本実用新案のもっといい実施例は上述のねじ山穴２０２は四つ以上で均等に配布される。
【００１６】
本実用新案の有益な効果はこの装置と屋根の間の装置は比較的に簡単で、その同時に水管の装置を固定されることに便利である。後期水管を解体するときに、水管支えボードを解体しても結構で、本装置を屋根から解体する必要がない。屋根の構築の破壊を避けることができる。それに、本装置は水管を固定されたら、水管はしっかりと水管ポジッショナーに位置づけされて、移動を避ける。本装置は構築も簡単、コストも安いで、普及させて使用することに適応する。
【００１７】
以上は本実用新案の基本原理、主要特徴及び本実用新案のメリットを表示して描写する。本分野の技術者は本実用新案が上述の実施例を限定されないことを了解すべきである。上述の実施例と説明書に描写したのはただ本実用新案の原理を説明するだけである。本実用新案の精神と範囲を離さないという前題で、本実用新案はまだいろいろな変化と改進があって、これらの変化と改進はすべて保護を要求される本実用新案の範囲の内に属する。本実用新案は要求された保護範囲が添付した権利要求書及びその同一のもので決める。
【符号の説明】
【００１８】
１  U字型コネクタ
２  支えボード
４  水管ポジッショナー
【図１】
0003201430.tif 000003
【図２】
0003201430.tif 000004